(57)【要約】【課題】  装飾性に優れ且つ合理的に構成された伝動装置を得ること。【解決手段】  被駆動部２００に動力を伝達する装置であり、被駆動部２００を駆動可能に装着した第１透明板３１０と、第１透明板３１０と向かい合うとともに被駆動部２００と係合した第２透明板３２０と、第２透明板３２０を第１透明板３１０に対して公転させる駆動手段４００とを備え、被駆動部２００が第２透明板３２０の公転に連動して駆動する伝動装置において、第２透明板３２０と向かい合う第３透明板３３０を備え、駆動手段４００は、第２透明板３２０及び第３透明板３３０を対称に公転させるものとし、第３透明板３３０を公転させることにより、第２透明板３２０の自重による当該駆動手段４００の負荷の変化を低減した。【選択図】図１
2010008354.tif 000002
【特許請求の範囲】
【請求項１】
被駆動部に動力を伝達する装置であり、前記被駆動部を駆動可能に装着した第１透明板と、前記第１透明板と向かい合うとともに前記被駆動部と係合した第２透明板と、前記第２透明板を前記第１透明板に対して公転させる駆動手段とを備え、前記被駆動部が前記第２透明板の公転に連動して駆動する伝動装置において、
前記第２透明板と向かい合う第３透明板を備え、
前記駆動手段は、前記第２透明板及び前記第３透明板を対称に公転させるものとし、前記第３透明板を公転させることにより、前記第２透明板の自重による当該駆動手段の負荷の変化を低減したことを特徴とする伝動装置。
【請求項２】
前記被駆動部は、時計の指針を回転する指針駆動機構であることを特徴とする請求項１記載の伝動装置。
【発明の詳細な説明】
【技術分野】
【０００１】
本発明は、装飾性を向上してなる伝動装置に関する。
【背景技術】
【０００２】
装飾に利用される伝動装置は、見た目の面白さが重要とされる。例えば特許文献１乃至３には、透明板に指針を設けた時計であって、その指針を駆動する機構が見た目からは解らないように構成されたものが開示されている。つまり、時計を見る者にとっては、なぜ指針が動くのかと興味をそそる不思議なものとなっている。
【特許文献１】特開２００６−２８４２５６号公報
【特許文献２】特開２００６−１２６０２９号公報
【特許文献３】特開２００５−５４８２２号公報
【発明の開示】
【発明が解決しようとする課題】
【０００３】
さて、この種の伝動装置 については、その趣向を凝らすとともに、被駆動部の駆動効率の向上、耐久性の向上等が重要な課題とされており、特許文献１乃至３のような時計についても、これらの諸条件を考慮しつつ更なる構造的工夫が求められている。
【０００４】
例えば、所定の透明板を上下方向に公転させると、その透明板の自重により、駆動手段には負荷の変化が生じる。すなわち、駆動手段の負荷は、透明板の上昇時には大きくなり、下降時には小さくなる。故に、被駆動部をより安定的に駆動させるためには、こうした負荷の変化に対処するための構成が必要とされる。特に、被駆動部が時計の指針である場合には、時刻表示の精度に大きく影響するため、これが非常に重要な課題となる。
【０００５】
本発明は、かかる事情に鑑みてなされたものであり、その目的は、装飾性に優れ且つ合理的に構成された伝動装置を提供することである。
【課題を解決するための手段】
【０００６】
本願第１請求項に記載した発明は、被駆動部に動力を伝達する装置であり、前記被駆動部を駆動可能に装着した第１透明板と、前記第１透明板と向かい合うとともに前記被駆動部と係合した第２透明板と、前記第２透明板を前記第１透明板に対して公転させる駆動手段とを備え、前記被駆動部が前記第２透明板の公転に連動して駆動する伝動装置において、前記第２透明板と向かい合う第３透明板を備え、前記駆動手段は、前記第２透明板及び前記第３透明板を対称に公転させるものとし、前記第３透明板を公転させることにより、前記第２透明板の自重による当該駆動手段の負荷の変化を低減した構成の伝動装置である。
【０００７】
本願第２請求項に記載した発明は、請求項１において、前記被駆動部は、時計の指針を回転する指針駆動機構である構成の伝動装置である。
【発明の効果】
【０００８】
本発明によれば、装飾性に優れ且つ合理的に構成された伝動装置を得ることができる。
【発明を実施するための最良の形態】
【０００９】
以下に、本発明の実施例を図１乃至図４に基づいて説明する。これらの図に示す本例の伝動装置１は、被駆動部たる指針駆動機構２００に動力を伝達するものである。指針駆動機構２００は、時針２１０及び分針２２０をそれぞれ所定の速度で回転する輪列機構となっている。
【００１０】
そして、指針駆動機構２００を配置した時刻表示部１００は透明となっており、伝動装置１の手前側からは奥側、奥側からは手前側が透けて見える構成となっている。指針駆動機構２００には歯車等が連結されていないことが一目で解る。つまり、伝動装置１を見る者にとっては、なぜ指針が動くのかと興味をそそる不思議なものとなっている。
【００１１】
この伝動装置１は、被駆動部たる指針駆動機構２００と、指針駆動機構２００を駆動可能に装着した第１透明板３１０と、第１透明板３１０と向かい合うとともに指針駆動機構２００と係合した第２透明板３２０と、第２透明板３２０を第１透明板３１０に対して公転させる駆動手段４００とを備え、指針駆動機構２００が第２透明板３２０の公転に連動して駆動するものである。
【００１２】
また本例の場合、その特徴として、第２透明板３２０と向かい合う第３透明板３３０を備え、駆動手段４００は、第２透明板３２０及び第３透明板３３０を対称に公転させるものとし、第３透明板３３０を公転させることにより、第２透明板３２０の自重による当該駆動手段４００の負荷の変化を低減した構成となっている。
【００１３】
第２透明板３２０のみを公転させる構成であると、駆動手段４００の負荷は、第２透明板３２０の上昇時には大きくなり、下降時には小さくなる。そこで、重量が等しい同型の第３透明板３３０を、第２透明板３２０と同時に公転させることにより、駆動手段４００の負荷の変化を低減し、被駆動部２００の駆動の安定化を達成している。
【００１４】
図中の５００は、第２透明板３２０及び第３透明板３３０の縁部の移動領域を覆う枠体５００である。第２透明板３２０及び第３透明板３３０の公転は、外部から認識することができないようになっている。
【００１５】
第２透明板３２０及び第３透明板３３０は、第４透明板３４０を挟んで向い合っている。また、枠体５００の正面には第５透明板３５０、背面には第６透明板３６０が設けられている。第１透明板３１０、第４透明板３４０、第５透明板３５０、及び第６透明板３６０は、それらの縁部を枠体５００にそれぞれ支持されている。
【００１６】
第２透明板３２０は、第１透明板３１０と第４透明板３４０との間に配置され、第３透明板３３０は、第４透明板３４０と第６透明板３６０との間に配置されている。第１透明板３１０及び第４透明板３４０には、第２透明板３２０との間隔を規制するスペーサ３１１，３４１が適宜間隔で設けられている。また、第４透明板３４０及び第６透明板３６０には、第３透明板３３０との間隔を規制するスペーサ３４２，３６２が適宜間隔で設けられている。各スペーサ３１１，３４１，３４２，３６２は、枠体５００に覆われており、外部から見えることはない。
【００１７】
各透明板３１０，３２０，３３０，３４０，３５０，３６０は、ガラス製又は樹脂製の透明又は半透明のプレートである。
【００１８】
時刻表示部１００は、枠体５００で囲まれた部位である。第１透明板３１０、第４透明板３４０、第５透明板３５０、及び第６透明板３６０のいずれかには、時刻の指標部１０１が設けられている。
【００１９】
枠体５００は、台座６００の上部に装着されている。駆動手段４００は、台座６００の内部に収納されている。
【００２０】
本例の駆動手段４００は、モータ４１０と、第４透明板３４０の下部に設けられるとともににモータ４１０の出力ギア４１１に連結された輪列４２０と、第４透明板３４０に回転可能に装着されるとともに輪列４２０に従動する複数（図例では２つ）の回転出力部４３０とを備えている。各回転出力部４３０がそれぞれ第２透明板３２０及び第３透明板３３０を枢支しており、モータ４１０の動力が輪列４２０を介して回転出力部４３０に伝わり、回転出力部４３０が第２透明板３２０及び第３透明板３３０を操作して、それらを対称に公転させる構成となっている。尚、枠体５００及び台座６００は、外部から駆動手段４００が見えないように構成されている。
【００２１】
複数の回転出力部４３０は、輪列４２０により所定の速度で同期回転する。これらの回転出力部４３０には、第２透明板３２０を枢支する第１のピン４３１と第３透明板３３０を枢支する第２のピン４３２がそれぞれ設けられており、これらのピン４３１，４３２は、回転半径が等しいものとなっている。また、第１のピン４３１と第２のピン４３２は、回転出力部４３０の回転軸に対して位相が１８０°ずれている。
【００２２】
つまり、第２透明板３２０と第３透明板３３０は、公転周期が等しく且つ１／２ずれており、互いに１８０°の回転対称となっている。それらの上昇下降及び左右移動のタイミングは、常に反対となる。図３は、第２透明板３２０が上昇から下降に転じる際、すなわち第３透明板３３０が下降から上昇に転じる際のそれらの位置関係を示している。図４は、図３の状態から第２透明板３２０が下降した際、すなわち第３透明板３３０が上昇した際のそれらの位置関係を示している。
【００２３】
指針駆動機構２００は、第１透明板３１０に対して回転可能に設けられるとともに第２透明板３２０を枢支する第３のピン２３１を設けた回転入力部２３０を備えている。第３のピン２３１は、第１のピン４３１及び第２のピン４３２と回転半径が等しいものとなっている。
【００２４】
指針駆動機構２００の具体的な構成は、特に限定はしないが、本例の場合、分針２２０を支持するとともに回転入力部２３０と同期回転する分針パイプと、指針パイプの回転を減速する日ノ裏車と、時針２１０を支持するとともに日ノ裏車と噛合するギアを備えた時針パイプとを備えたものである。第２透明板３２０及び第３透明板３３０の公転周期は１時間であり、分針２２０の回転周期も１時間である。また、時針２１０の回転周期は１２時間である。
【００２５】
第１のピン４３１、第２のピン４３２、第３のピン２３１、及び各スペーサ３１１，３４１，３４２，３６２の位置関係は、第２透明板３２０及び第３透明板３３０の公転がきしむことがないように設定している。
【００２６】
以上説明した本例の伝動装置１によると、第２透明板３２０の自重と第３透明板３３０の自重が相殺されるので、駆動手段４００の負荷の変化が確実に低減される。このように本例の伝動装置１は、装飾性に優れ且つ合理的に構成されたものであり、時計の指針２１０，２２０を駆動する装置として好適に利用することができる。
【００２７】
尚、本例における各部の構成は、特許請求の範囲に記載した技術的範囲において適宜に設計変更が可能であり、図例説明したものに限定されないことは勿論である。例えば、枠体５００及び各透明板３１０，３２０，３３０，３４０，３５０，３６０の形状については、矩形に限らず様々な形態が考えられる。
【００２８】
また、本例の駆動手段４００は、２枚の透明板を互いに１８０°の回転対称となるように公転させるものであるが、或は、３枚の透明板を公転させるよう構成することも可能である。その場合は、それらが互いに１２０°の回転対称となるように公転させる。
【００２９】
更に、本例の伝動装置１は、時針２１０及び分針２２０を駆動するものであるが、第２透明板３２０を１分間で１回転させる等して、更に秒針を駆動するように構成することも可能である。
【００３０】
また、本例の構成は、標準時刻電波等の時刻情報を受信するとともに指針による表示時刻をその時刻情報に基づいて自動修正する自動修正時計に応用することも可能である。自動修正時計の場合は、時刻情報を受信する受信手段や、モータ４１０を制御する所定のプログラムを格納したマイコン等を設ける。
【００３１】
更に、被駆動部としては、指針駆動機構２００の他、装飾用の飾り等を駆動するように構成することも可能である。更に、第１透明板３１０に複数の被駆動部を設けるとともに各被駆動部をそれぞれ第２透明板３２０に係合し、複数の被駆動部を駆動するように構成することも可能である。
【００３２】
また、第１透明板３１０の前後にそれぞれ第２透明板３２０及び第３透明板３３０を設け、１つ又は複数の被駆動部を複数の第２透明板３２０にて駆動するように構成することも可能である。かかる場合は、各第２透明板３２０の公転速度や公転の大きさがそれぞれ異なるように設定することにより、より複雑な被駆動部の駆動形態を得ることが可能となる。
【産業上の利用可能性】
【００３３】
本発明の伝動装置は、時計の指針を駆動する装置として好適に利用することが可能である。
【図面の簡単な説明】
【００３４】
【図１】本発明の実施例に係り、伝動装置を示す正面図である。
【図２】本発明の実施例に係り、伝動装置を示す側面断面図である。
【図３】本発明の実施例に係り、伝動装置の要部を示す説明図である。
【図４】本発明の実施例に係り、伝動装置の要部を示す説明図である。
【符号の説明】
【００３５】
１    伝動装置
１００    時刻表示部
１０１    指標部
２００    指針駆動機構（被駆動部）
２１０    時針
２２０    分針
２３０    回転入力部
２３１    第３のピン
３１０    第１透明板
３１１    スペーサ
３２０    第２透明板
３３０    第３透明板
３４０    第４透明板
３４１    スペーサ
３４２    スペーサ
３５０    第５透明板
３６０    第６透明板
３６２    スペーサ
４００    駆動手段
４１０    モータ
４１１    出力ギア
４２０    輪列
４３０    回転出力部
４３１    第１のピン
４３２    第２のピン
５００    枠体
６００    台座
【図１】
2010008354.tif 000003
【図２】
2010008354.tif 000004
【図３】
2010008354.tif 000005
【図４】
2010008354.tif 000006